(57)【要約】【課題】テンパータイヤと走行タイヤとのどちらを収納凹部に収納して収納凹部を蓋部材で閉塞した場合でも見栄えのよい車両用荷室構造を提供すること。【解決手段】た車両用荷室構造は、車両１の荷室２内に設けられてスペアタイヤＴを収納する収納凹部３と、収納凹部３を閉塞する蓋部材４と、収納凹部３の後部を形成するリヤパネル５と、リヤパネル５の荷室２側の略中央部に、着脱可能に設けられた別部品５２と、を備えている。【選択図】図１
2016041554.tif 000002
【特許請求の範囲】
【請求項１】
車両の荷室内に設けられてスペアタイヤを収納する収納凹部と、
前記収納凹部を閉塞する蓋部材と、を備えた車両用荷室構造であって、
前記収納凹部の後部側の上部を形成するリヤパネルと、
前記リヤパネルの前記荷室側の略中央部に、着脱可能に設けられた別部品と、を備えていることを特徴とする車両用荷室構造。
【請求項２】
前記収納凹部は、前記蓋部材を支持する上段支持部と、
前記上段支持部よりも下側に配置されて前記蓋部材を支持する下段支持部と、を有し、
前記蓋部材は、前記上段支持部に支持される上段位置と、前記下段支持部に支持される下段位置と、に配置可能であることを特徴とする請求項１に記載の車両用荷室構造。
【請求項３】
前記リヤパネルは、前記別部品を前記荷室側の略中央部に取り付けることによって閉塞される切欠部と、
前記切欠部の車幅方向両側にそれぞれ形成されて前記蓋部材を支持する後側下段支持部と、
平面視して前記切欠部の車幅方向両側にそれぞれ形成されて、前記後側下段支持部よりも高い位置にそれぞれ形成されて前記蓋部材を支持する後側上段支持部と、を有していることを特徴とする請求項２に記載の車両用荷室構造。
【請求項４】
前記切欠部は、平面視して車体の後方に窪んで形成されて、前記スペアタイヤの外周部の一部が挿入可能な凹部形状に形成されていることを特徴とする請求項３に記載の車両用荷室構造。
【発明の詳細な説明】
【技術分野】
【０００１】
本発明は、例えば、車両の荷室内の床面にスペアタイヤを収納する収納凹部を備えた車両用荷室構造に関する。
【背景技術】
【０００２】
従来、車両には、装着タイヤがパンクしたときに使用する緊急用のスペアタイヤが搭載されている。スペアタイヤには、装着タイヤよりも小さいテンパータイヤと、装着タイヤと同じ大きさいで、外国等で使用されているフルタイヤ（以下「走行タイヤ」という）と、がある。
【０００３】
従来、車両にテンパータイヤと走行タイヤとの二種類のスペアタイヤを搭載可能にしたものとしては、例えば、特許文献１に開示された自動車のスペアタイヤボード固定構造が知られている。
【０００４】
そのスペアタイヤボード固定構造は、テンパータイヤの場合、荷室（トランクルーム）の床面に設けられたスペアタイヤ収納用の収納凹部（凹状部）に、テンパータイヤを収納して蓋部材で閉塞している。小型のテンパータイヤを収納凹部に収納する場合は、収納凹部の上部に設けた水平受部に蓋部材を載置して、収納凹部の上部に上下位置調整可能に設けたブラケットで蓋部材を保持している。
【０００５】
また、走行タイヤを収納凹部に収納する場合は、走行タイヤがテンパータイヤよりも幅が大きいので、その大きい分だけ蓋部材が、走行タイヤによって水平受部から上方に押し上げられた状態に配置される。このため、蓋部材の前部に荷物を載せた場合は、蓋部材の後部が浮き上がる。その浮き上がりは、上側方向に位置を移動させて蝶ねじで収納凹部の上部に固定したブラケットで蓋部材を保持することによって阻止している。
【先行技術文献】
【特許文献】
【０００６】
【特許文献１】実開平３−７３２７７号公報
【発明の概要】
【発明が解決しようとする課題】
【０００７】
しかし、前記特許文献１に記載された自動車のスペアタイヤボード固定構造では、蓋部材を上段位置及び下段位置に位置決め固定するためのブラケットが、収納凹部の上部の視認可能な位置に配置されているので、見栄えが悪いという問題点があった。
【０００８】
また、そのブラケットは、収納凹部の上部にある荷室の後部縦壁に蝶ねじで固定されているので、蝶ねじの頭部が後部縦壁から突出した状態に設置されているため、蝶ねじの頭部に荷物等が接触する虞があった。
【０００９】
そこで、本発明は、テンパータイヤと走行タイヤとのどちらを収納凹部に収納して収納凹部を蓋部材で閉塞した場合でも見栄えのよい車両用荷室構造を提供することを目的とする。
【課題を解決するための手段】
【００１０】
前記課題を解決するための手段として、車両用荷室構造は、車両の荷室内に設けられてスペアタイヤを収納する収納凹部と、前記収納凹部を閉塞する蓋部材と、を備えた車両用荷室構造であって、前記収納凹部の後部側の上部を形成するリヤパネルと、前記リヤパネルの前記荷室側の略中央部に、着脱可能に設けられた別部品と、を備えていることを特徴とする。
【００１１】
かかる構成によれば、車両用荷室構造は、スペアタイヤを収納凹部に収納した場合、平面視して、収納凹部の後部側の上部にあるリヤパネルの荷室側の略中央部に、スペアタイヤの後端部が配置される。このため、リヤパネルの荷室側の略中央部に設けられた別部品を取り外せば、別部品の設置スペースが収納凹部の収納空間の一部となるので、その設置スペースの分だけ、さらに大型のタイヤを収納することが可能になる。
このように、別部品は、リヤパネルに着脱することによって、スペアタイヤとリヤパネルとの間隔を調整することができるため、収納凹部に収納できるスペアタイヤの大きさを切り換えることができる。
この場合、小さいスペアタイヤを収納凹部に収納したとき、別部品をリヤパネルに取り付けることにより、別部品を取り付ける箇所が別部品によって塞がれるので、外観性を悪化させることがないため、見栄えがよい。
【００１２】
また、前記収納凹部は、前記蓋部材を支持する上段支持部と、前記上段支持部よりも下側に配置されて前記蓋部材を支持する下段支持部と、を有し、前記蓋部材は、前記上段支持部に支持される上段位置と、前記下段支持部に支持される下段位置と、に配置可能であることが好ましい。
【００１３】
かかる構成によれば、蓋部材は、収納凹部の上段支持部と下段支持部とに支持させて配置位置を変えることにより、蓋部材を上段位置に支持させて配置位置を高くしたり、蓋部材を下段位置に支持させて配置位置を低くしたりすることができる。このため、蓋部材は、幅の小さいスペアタイヤの場合、下段支持部に支持させて下段位置に配置すれば、収納凹部の上方の荷室空間を拡大させて、荷室に荷物を効率よく収納させることができる。また、蓋部材は、幅の大きいスペアタイヤの場合、上段支持部に支持させて上段位置に配置すれば、大きなタイヤであっても収納凹部に収納させることが可能であり、収納凹部の収納機能を向上させることができる。
【００１４】
また、前記リヤパネルは、前記別部品を前記荷室側の略中央部に取り付けることによって閉塞される切欠部と、前記切欠部の車幅方向両側にそれぞれ形成されて前記蓋部材を支持する後側下段支持部と、平面視して前記切欠部の車幅方向両側にそれぞれ形成されて、前記後側下段支持部よりも高い位置にそれぞれ形成されて前記蓋部材を支持する後側上段支持部と、を有していることが好ましい。
【００１５】
かかる構成によれば、蓋部材は、小さいスペアタイヤを収納凹部に収納する場合、リヤパネルの後側下段支持部に支持させることにより、小さいタイヤの高さ（タイヤの幅）に合わせて、低い下段位置に配置することができる。また、蓋部材は、大きいスペアタイヤを収納凹部に収納する場合、リヤパネルの後側上段支持部に支持させることにより、大きなタイヤの高さ（タイヤの幅）に合わせて高い上段位置に切り換えて配置することができる。
また、蓋部材は、後側上段支持部に支持させた場合、後側上段支持部が、切欠部の車幅方向両側にそれぞれ形成された後側下段支持部よりも高い位置に配置されるので、切欠部及び後側下段支持部を蓋部材で上方から覆って隠すことができる。このため、蓋部材は、切欠部及び後側下段支持部を利用者に見えなくすることができるので、外観性を向上させることができる。
【００１６】
また、前記切欠部は、平面視して車体の後方に窪んで形成されて、前記スペアタイヤの外周部の一部入可能な凹部形状に形成されていることが好ましい。
【００１７】
かかる構成によれば、切欠部は、平面視して車体の後方方向に窪んで形成されて、スペアタイヤの外周部の一部が挿入可能な凹部形状に形成されていることによって、スペアタイヤを切欠部内に入り込ませる分だけ後方に移動させて配置することができるため、その入り込んで配置される分だけ、収納凹部に大きなスペアタイヤを収納させることができる。
【発明の効果】
【００１８】
本発明に係る車両用荷室構造によれば、テンパータイヤと走行タイヤとのどちらを収納凹部に収納して収納凹部を蓋部材で閉塞した場合でも見栄えを良くすることができる。
【図面の簡単な説明】
【００１９】
【図１】本発明の実施形態に係る車両用荷室構造の蓋部材を下段位置に配置したときの状態を示す荷室の要部斜視図である。
【図２】本発明の実施形態に係る車両用荷室構造の蓋部材を上段位置に配置したときの状態を示す荷室の要部斜視図である。
【図３】蓋部材を下段位置に配置したときの状態を示す凹部収納部の要部縦断面図である。
【図４】蓋部材を下段位置に配置したときの状態を示す凹部収納部の後端部の要部拡大縦断面図である。
【図５】リヤパネルの分解斜視図である。
【図６】後側から見たリヤパネルの中央部を示す要部拡大背面図である。
【図７】（ａ）は前側から見た別部品の拡大斜視図、（ｂ）は後側から見た別部品の拡大斜視図である。
【発明を実施するための形態】
【００２０】
以下、添付図面に基づき本発明の実施形態に係る車両用荷室構造の一例を説明する。
なお、説明において方向を示すときは、車両１の前後左右上下を基準にして説明する。なお、車幅方向と左右方向は同義である。
【００２１】
≪車両≫
まず、本発明の実施形態に係る車両用荷室構造を説明するのに先立って、図１及び図２を参照して本発明が採用される車両１について説明する。
車両１は、荷物を積載するスペースを有する自動車であり、例えば、ハッチバック、ワゴン、バン、クーペ、セダン、ＳＵＶ等から成る。車両１は、車体後部１ａに荷室２と、荷室２を開閉するドア（図示省略）と、このドアが開閉自在に配置されるドア開口部１ｂと、荷室２の床面２ｂに荷物を収納する収納凹部３と、ドア開口部１ｂの下側に設置されたリヤパネル５と、を有する自動車である。
なお、車両１は、荷室２、収納凹部３及びリヤパネル５を有するものであれば、どうようなタイプのものであっても構わない。
【００２２】
ドア開口部１ｂは、例えば、バックドア、トランク等の扉（図示省略）によって開閉される開口部であり、荷室２に荷物を出し入れするための部位である。
扉は、ドア開口部１ｂを閉塞するものであれば、どのようなタイプのドアでも構わない。その扉は、観音開きのドアや、スライドドアや、横方向に開くタイプのヒンジ式ドアや跳ね上げタイプのヒンジ式ドアや、トランク等でもよく、以下、跳ね上げタイプのヒンジ式ドアで荷室２のドア開口部１ｂが開閉される場合を例に挙げて説明する。
【００２３】
≪荷室≫
図２に示すように、荷室２は、車両１において、スペアタイヤＴを収納凹部３内に収納して蓋部材４で閉塞したり、蓋部材４の上に荷物を積載したりすることが可能な収納スペースである。荷室２は、例えば、後部座席６とバックドア（図示省略）との間に設置されている。荷室２には、その前側に設置された後部座席６と、後側のドア開口部１ｂに配置されたバックドア（図示省略）と、左右に設けられた荷室側壁２ａと、床面２ｂに設けられた収納凹部３と、収納凹部３を閉塞する蓋部材４と、収納凹部３の後側に設けられたリヤパネル５と、収納凹部３の前側に設けられた棚受部材７と、収納凹部３の内底面３ｃの下方に設けられたリヤフロアパネル８（図３参照）と、が備えられている。荷室２に荷物を載置する場合は、収納凹部３を蓋部材４で閉塞して、蓋部材４の上に荷物を載置する。
【００２４】
後部座席６は、シートバック６ａと、シートクッション６ｂと、を備えている。シートバック６ａは、立てた状態に配置することにより、荷室２と客室とを仕切っている。
バックドア（図示省略）は、開閉することによって、荷物を荷室２内に出し入れすることができるようにする。
荷室側壁２ａは、荷室２の左右に内壁面を構成しているリヤサイドトリムによって形成されている。
【００２５】
≪スペアタイヤ≫
図１及び図２に示すスペアタイヤＴは、収納凹部３に収納される予備のタイヤであり、緊急用、応急用として使用されるテンパータイヤＴ１、あるいは、車両１に取り付けられている装着タイヤと同じ大きさの走行タイヤＴ２である。
図１に示すテンパータイヤＴ１は、走行タイヤＴ２よりも幅及び外径が小さい小型のタイヤから成る。
走行タイヤＴ２は、車両１に使用される標準の大きさのフルタイヤであり、予備用タイヤ、あるいは、車両１から取り外されて交換された装着タイヤである。
【００２６】
≪収納凹部≫
図２に示すように、収納凹部３は、スペアタイヤＴを収納することが可能な収納空間を形成し、スペアタイヤＴを床下収納して蓋部材４によって閉塞される。収納凹部３は、荷室２内の床面２ｂの荷室前端部から荷室後端部にわたって、床面２ｂから下方に窪んだ状態に形成された収納空間から成る。収納凹部３は、蓋部材４を上段位置に支持する上段支持部３ａと、上段支持部３ａよりも下側に配置されて蓋部材４を下段位置に支持する下段支持部３ｂと、スペアタイヤＴが載置される内底面３ｃと、平面視して四角形の開口３ｄと、開口３ｄの後側を形成するリヤパネル５と、開口３ｄの前側を形成する棚受部材７と、を有している。収納凹部３は、蓋部材４を上段位置と下段位置とに配置して使用することが可能な二段構造になっている。
【００２７】
上段支持部３ａは、蓋部材４を上段位置に支持する部位である。上段支持部３ａは、棚受部材７の前側上段支持部７ｂと、リヤパネル５の後側上段支持部５ｂと、から構成されている。
【００２８】
下段支持部３ｂは、蓋部材４を下段位置に支持する部位である。下段支持部３ｂは、棚受部材７の前側下段支持部７ｃと、リヤパネル５の後側下段支持部５ｃと、別部品５２の下段支持部５２ｆと、から構成されている。
【００２９】
図１に示すように、内底面３ｃは、蓋部材４が収納凹部３の下段位置にあるときに、収納凹部３内に床下収納されるテンパータイヤＴ１が載置され、また、図２に示すように、蓋部材４が収納凹部３の上段位置にあるときに、収納凹部３内に走行タイヤＴ２が載置される底面である。内底面３ｃは、例えば、収納凹部３内において、最下端に形成された平らな底面によって形成されている。
なお、内底面３ｃは、スペアタイヤＴの形状に合わせて環状溝状に形成して、横置きにしたスペアタイヤＴがスライド移動しないように支持してもよい。
【００３０】
開口３ｄは、収納凹部３内にスペアタイヤＴを出し入れする部分であり、平面視して、四角形に形成されている。開口３ｄは、側面視して、棚受部材７とリヤパネル５との間に形成された収納凹部３の縁である。
【００３１】
図１及び図２に示すように、前側内壁３ｅは、収納凹部３の前側の側壁であり、この前側内壁３ｅの上側部位に段支持部３ａ及び下段支持部３ｂが形成され、下側部位に内底面３ｃが形成されている。
後側内壁３ｆは、収納凹部３の後側の側壁であり、この後側内壁３ｆの上側に後側上段支持部５ｂ及び後側下段支持部５ｃが形成されている。
【００３２】
≪蓋部材≫
図３に示すように、蓋部材４は、収納凹部３を閉塞する蓋の役目と、荷室２の床面２ｂを形成して荷物を載置する床板部材の役目と、を果す平板部材である。蓋部材４は、カーゴボード、ラゲッジボード、フロアボードとも言われている部材である。蓋部材４は、上段支持部３ａに支持される上段位置と、下段支持部３ｂに支持される下段位置と、に配置することが可能になっている。蓋部材４の後端部４ｂ側の上面には、乗員が蓋部材４を開閉する際に指を掛けるノブ（図示省略）等が設けられている。
【００３３】
≪リヤパネル≫
図１に示すように、リヤパネル５は、収納凹部３の後部側の上部を形成する部材であり、ドア開口部１ｂの下側部位に車幅方向に延設されている。リヤパネル５は、リヤパネル本体５１と、リヤパネル本体５１に着脱自在に取り付けられる別部品５２と、から主に構成されている。
【００３４】
図５に示すように、リヤパネル５のリヤパネル本体５１は、ドア開口部１ｂの下側開口縁部位を形成する樹脂製のフレーム部材であり、車幅方向に延設されている。リヤパネル本体５１は、それぞれ後記する別部品設置部５ａと、後側上段支持部５ｂと、後側下段支持部５ｃと、上面５ｄと、切欠部５ｅと、係止孔５ｆ，５ｇ，５ｈと、が形成されている。
【００３５】
別部品設置部５ａは、別部品５２が着脱可能に設けられる部位であり、リヤパネル５の荷室２側の略中央部に形成されている。別部品設置部５ａは、平面視して車体の後方方向に窪んで形成されて、横置き状態のスペアタイヤＴの後側外周部の一部が挿入可能な凹部形状に形成されている。また、別部品設置部５ａは、正面視して逆凹形状（図６参照）に形成されて、上側に３つの係止孔５ｆが形成され、左右にそれぞれ２つずつ係止孔５ｇ，５ｈが形成されている。
【００３６】
図１及び図２に示すように、後側上段支持部５ｂは、蓋部材４が収納凹部３の上段位置に配置されているときに、蓋部材４の後端部４ｂを下側から支持する部位である。後側上段支持部５ｂは、平面視してリヤパネル５の別部品設置部５ａ（切欠部５ｅ）の車幅方向両側にそれぞれ段差状に形成されている。このため、左右の後側上段支持部５ｂ間は、平面視及び正面視して凹部溝状に形成されて、別部品設置部５ａが設けられていない。後側上段支持部５ｂは、前側上段支持部７ｂの上面から蓋部材４の厚さ分だけ下側の位置に段差状に形成されている。
【００３７】
後側下段支持部５ｃは、蓋部材４が収納凹部３内の下段位置に配置されたときに、蓋部材４の後端部４ｂを支持する部位である。後側下段支持部５ｃは、平面視して後側上段支持部５ｂの前側で、別部品設置部５ａ（切欠部５ｅ）の車幅方向両側にそれぞれ段差状に形成されている。後側下段支持部５ｃは、収納凹部３内において、前側下段支持部７ｃと同じ高さの位置の後側内壁３ｆに、前側下段支持部７ｃに対向して配置されている。
図１に示すように、左右の後側下段支持部５ｃの前端部中央部側には、横置きしたスペアタイヤＴの後端部に沿うようにして形成された傾斜部５ｉが形成されている。傾斜部５ｉは、リヤパネル５の中央部側に近付くほど後方に位置するように傾斜している。
【００３８】
図２に示すように、リヤパネル本体５１の上面５ｄは、ドア開口部１ｂの下側開口縁を形成する部位であり、上段位置に配置された蓋部材４の高さと略同じ高さの位置に、全体が略平らに形成されている。上面５ｄの中央部には、不図示のストライカと、ストライカの周囲に設置されるプレートと、が設置されている。
【００３９】
図５に示すように、切欠部５ｅは、リヤパネル本体５１の荷室側の側壁の中央部下端部位に形成されている。この切欠部５ｅは、別部品設置部５ａの内縁部位に形成されて、別部品設置部５ａに別部品５２を取り付けることによって閉塞されるようになっている。
係止孔５ｆ，５ｇ，５ｈは、別部品５２の弾性係止片５２ａ，５２ｂ，５２ｃがそれぞれ係合、離脱される矩形の孔から成り、別部品設置部５ａに形成されている。
【００４０】
別部品５２は、リヤパネル５の荷室２側の略中央部に形成された別部品設置部５ａに着脱可能に設けられて、切欠部５ｅを閉塞する閉塞部材である。別部品５２は、弾性係止片５２ａ，５２ｂ，５２ｃと、支持片５２ｄと、段差部５２ｅと、下段支持部５２ｆとが形成された樹脂製板部材である。別部品５２は、リヤパネル本体５１に着脱することによって、スペアタイヤＴとリヤパネル５との間隔を調整することができる調整部材の機能を備えている。
つまり、別部品５２を、別部品設置部５ａから取り外せば、別部品５２が無くなった分だけ、スペアタイヤＴとリヤパネル５との間隔が広がり、外径の大きい走行タイヤＴ２の収納を可能にする。
また、別部品５２を、別部品設置部５ａに取り付ければ、別部品５２を取り付けた分だけ、スペアタイヤＴとリヤパネル５との間隔が狭くなり、小さなテンパータイヤＴ１の収納に適合した状態にすることができる。
【００４１】
図７（ａ）、（ｂ）に示すように、弾性係止片５２ａ，５２ｂ，５２ｃは、係止孔５ｆ，５ｇ，５ｈの開口縁に係止する係止爪を有する弾性片である。弾性係止片５２ａ，５２ｂ，５２ｃは、係止孔５ｆ，５ｇ，５ｈに押し込むことにより、別部品５２を別部品設置部５ａに取り付けることが可能になっている。
【００４２】
図６に示すように、弾性係止片５２ａは、別部品５２の後側上部の中央及び左右の三箇所に、後方向に向けて突出形成されて、それぞれ係止孔５ｆの上側の開口縁に係止される。各弾性係止片５２ａの左右には、それぞれ支持片５２ｄが形成されている。
弾性係止片５２ｂは、別部品５２の左右中央部にそれぞれ形成されて、係止孔５ｇに係合、離脱される（図６参照）。
弾性係止片５２ｃは、別部品５２の左右下端部にそれぞれ形成されて、係止孔５ｈに係合、離脱される（図６参照）。
【００４３】
段差部５２ｅは、車幅方向に長い別部品５２の中央部に、車幅方向に延設された階段状の段差面である。段差部５２ｅは、下段位置に配置された蓋部材４の上面の高さの位置から僅かに下がった高さの位置に形成されている（図１、図３参照）。段差部５２ｅは、蓋部材４を下段位置に設置したときに、蓋部材４とリヤパネル本体５１との隙間を塞ぐ機能を果たす。
下段支持部５２ｆは、段差部５２ｅに沿って車幅方向に延設された段差面である。下段支持部５２ｆは、後側下段支持部５ｃと同じ高さの位置に形成されて、下段位置に配置された蓋部材４を左右の後側下段支持部５ｃと共に支持する（図１、図４参照）。
【００４４】
≪棚受部材≫
図１及び図２に示すように、棚受部材７は、収納凹部３の前側縁部及び前側上部壁面部位を形成する部材であり、収納凹部３の前側内壁３ｅの上部に車幅方向に延設されている。棚受部材７には、棚受部材７の最上部位に形成された床面部７ａと、床面部７ａの一段下側に形成された前側上段支持部７ｂと、前側上段支持部７ｂの一段下側に形成された前側下段支持部７ｃと、前側下段支持部７ｃの前側に形成された縦断面視して略横穴形状の蓋部材挿入部７ｄと、が形成されている。
【００４５】
図２に示すように、床面部７ａは、収納凹部３の前側外縁部を形成すると共に、荷室２の床面２ｂの一部を形成する部位である。床面部７ａは、車幅方向に平らに形成されている。床面部７ａは、後部座席６のシートバック６ａを前側に倒してシートクッション６ｂ上に折り畳むことにより、シートバック６ａの上面と面一のフラットの状態にして、荷室２のスペースを拡大させることができるようになっている。
【００４６】
図２に示すように、前側上段支持部７ｂは、蓋部材４の前端部４ａが収納凹部３の上段位置に載置されて支持される部位である。前側上段支持部７ｂは、開口３ｄの前端部分の上側部位に形成された段差状の部位であり、荷室前端部の床面部７ａのから一段下がった位置に平らに形成されている。前側上段支持部７ｂは、側面視して略フ字形状に形成されている。
【００４７】
図１に示すように、前側下段支持部７ｃは、蓋部材４が収納凹部３内の下段位置に配置されたときに、蓋部材４の前端部４ａが載置されて支持される部位である。前側下段支持部７ｃは、前側上段支持部７ｂと内底面３ｃとの間の前側内壁３ｅに段差状に平らに形成されている。前側下段支持部７ｃの前側には、蓋部材４の前端部４ａを挿入して、前端部４ａを中心として回動させて後端部４ｂを引き上げて、蓋部材４を斜めの状態にすることを可能にさせるための蓋部材挿入部７ｄが形成されている。
【００４８】
≪リヤフロアパネル≫
リヤフロアパネル８は、車体後部１ａの床面２ｂを形成する金属製平板部材であり、収納凹部３の内底面３ｃの下方に設けられて、客室側のフロア面に連設されている。
【００４９】
≪作用≫
次に、各図を参照して本発明の実施形態に係る車両用荷室構造の作用を説明する。
【００５０】
まず、小型のテンパータイヤＴ１を収納凹部３に収納する場合を説明する。
その場合は、蓋部材４を収納凹部３から開放して、図５に示すように、リヤパネル５の別部品設置部５ａに別部品５２を取り付ける。別部品５２は、弾性係止片５２ａ，５２ｂ，５２ｃ、及び支持片５２ｄを係止孔５ｆ，５ｇ，５ｈに押し込んで係止させることにより、ワンタッチでリヤパネル５に取り付けることができる。これにより、リヤパネル５の切欠部５ｅは、別部品５２によって閉塞された状態になり、切欠部５ｅと蓋部材４との隙間を略解消させることができる。このため、リヤパネル５に切欠部５ｅがあっても、外観性が悪化することがない。
【００５１】
次に、蓋部材４から開放されている収納凹部３内に、図１に示すテンパータイヤＴ１を横置きにして収納凹部３内に収納する。小型のテンパータイヤＴ１は、走行タイヤＴ２（図２参照）よりも横幅が小さいので、図１に示すテンパータイヤＴ１の最上部が下段支持部３ｂよりも下方に配置される。
【００５２】
収納凹部３を蓋部材４で閉塞する場合は、まず、蓋部材４の前端部４ａを蓋部材挿入部７ｄに挿入させて前側下段支持部７ｃ上に載置し、次に、蓋部材４の後端部４ｂを後側下段支持部５ｃの上に載置して、収納凹部３の下段位置に蓋部材４を配置して閉塞する。
【００５３】
すると、蓋部材４は、図１に示す収納凹部３の下段位置に配置される。この下段状態のとき、別部品設置部５ａの上部は、蓋部材４の上側に配置されて、乗員が視認することができるが、別部品５２によって別部品設置部５ａ及び切欠部５ｅが閉塞されているため、外観性を低下させることがない。蓋部材４は、下段位置に配置された場合、蓋部材４が下側に配置された高さ分だけ、その上方の荷室２の収納空間を広くして、蓋部材４上に種々の荷物を載せることができる。
【００５４】
次に、走行タイヤＴ２を収納凹部３に収納する場合を説明する。
その場合は、蓋部材４を収納凹部３から開放して、図５に示すように、リヤパネル５の別部品設置部５ａが取り付けてあった別部品５２を取り外す。別部品５２を取り外したリヤパネル５の荷室側の側面中央の別部品設置部５ａは、別部品５２及び後側上段支持部５ｂが無いので、別部品５２の厚さ分だけ、リヤパネル５の荷室２側を切り欠いて凹ませた状態にすることができる。
【００５５】
予備の走行タイヤＴ２、あるいは、車両１から取り外してテンパータイヤＴ１と交換した走行タイヤＴ２を収納凹部３内に収納する場合は、蓋部材４から開放されている収納凹部３内に、図２に示す走行タイヤＴ２を横置きにして収納凹部３内に収納する。走行タイヤＴ２は、テンパータイヤＴ１よりも幅及び外径が大きいので、上段支持部３ａの少し下側の高さの位置に配置される。
【００５６】
また、走行タイヤＴ２を収納凹部３内に入れる場合は、図３及び図４に示すように、リヤパネル５の荷室側中央部の別部品５２を取り外したことにより、切欠部５ｅが平面視して後方向に窪んだ状態になっている。このため、スペアタイヤＴとリヤパネル５との間隔が広がり、テンパータイヤＴ１よりも大きな走行タイヤＴ２の収納が可能になる。これにより、走行タイヤＴ２は、後端部位を、開放状態になっている別部品設置部５ａ及び切欠部５ｅ内に入り込ませた状態で、収納凹部３内に収納したり、収納凹部３内から取り出すことができる。
【００５７】
その結果、走行タイヤＴ２は、走行タイヤＴ２の一部を別部品設置部５ａ及び切欠部５ｅ内に入り込ませた分だけ、大きなスペアタイヤＴを収納凹部３に収納することができる。また、走行タイヤＴ２を収納凹部３から取り出す場合は、走行タイヤＴ２の後端部を切欠部５ｅに入り込ませることにより、入り込んだ分だけ、前後方向のスペースに余裕ができる。このため、走行タイヤＴ２は、別部品５２の前後方向の略長さ程度だけ、後方へ余分に移動できるようになるので、斜めに傾けたり、前後に移動させたりすることができるので、走行タイヤＴ２の出し入れが行い易くなる。
【００５８】
図２に示すように、走行タイヤＴ２を収納凹部３内に収納して、蓋部材４を上段位置に配置した場合、別部品設置部５ａ及び切欠部５ｅは、蓋部材４の下方の位置になって、蓋部材４によって隠れるため、リヤパネル５の外観性を向上させて見栄えをよくすることができる。
【００５９】
上段位置に載置された蓋部材４は、前端部４ａが前側上段支持部７ｂ上に載置されて、後端部４ｂが後側上段支持部５ｂ（図５参照）上に載置されて、床面部７ａ及びリヤパネル５の上面５ｄと略面一の状態に水平に配置される。その蓋部材４の上に載せた種々の荷物は、蓋部材４が、リヤパネル５の上面５ｄに略面一になっていることにより、荷室２に床面２ｂから荷物を蓋部材４の上面から上方向へ高く持ち上げる必要がないので、荷室２内の蓋部材４上への荷物の出し入れする作業が行い易くなる。
【００６０】
以上のように、本発明に係る車両用荷室構造は、荷室２内の収納凹部３に大型の走行タイヤＴ２を収納する場合、収納するスペアタイヤＴの大きさに応じて、リヤパネル５に着脱自在に設けられた別部品５２を着脱することにより、スペアタイヤＴとリヤパネル５との間隔を調整することができると共に、収納凹部３の前後方向の大きさを調整することができる。このため、収納凹部３に収納するスペアタイヤＴが、小型のテンパータイヤＴ１であっても、また、このテンパータイヤＴ１よりも大型の走行タイヤＴ２であっても、リヤパネル５を作り替えることなく対応できるようにすることができる。
【００６１】
≪変形例≫
なお、本発明は、前記実施形態に限定されるものではなく、その技術的思想の範囲内で種々の改造及び変更が可能であり、本発明はこれら改造及び変更された発明にも及ぶことは勿論である。
【００６２】
前記実施形態では、ワゴンタイプの車両１を例に挙げて説明したが、トランクルームを備えるセダンタイプの自動車にも実施することができることは、勿論である。
【００６３】
なお、蓋部材４は、樹脂材料で形成したものに限定されるものではなく、例えば、金属や、木材や、それらを組み合わせて作製したものであっても構わない。また、蓋部材４は、上段支持部３ａ及び下段支持部３ｂ上に載置できるものであればよく、平板形状のものに限定されるものではない。例えば、蓋部材４は、載置する荷物等の形状に合わせて、載置面に凸部や凹部を有するものであっても構わない。
【符号の説明】
【００６４】
１      車両
２      荷室
３      収納凹部
３ａ    上段支持部
３ｂ，５２ｆ  下段支持部
４      蓋部材
５      リヤパネル
５ａ    別部品設置部
５ｂ    後側上段支持部（上段支持部）
５ｃ    後側下段支持部（下段支持部）
５ｅ    切欠部
７      棚受部材
７ｂ    前側上段支持部（上段支持部）
７ｃ    前側下段支持部（下段支持部）
５２    別部品
Ｔ      スペアタイヤ
【図１】
2016041554.tif 000003
【図２】
2016041554.tif 000004
【図３】
2016041554.tif 000005
【図４】
2016041554.tif 000006
【図５】
2016041554.tif 000007
【図６】
2016041554.tif 000008
【図７】
2016041554.tif 000009